(57)【要約】【課題】モニターの取り外しが可能であるとともに通路幅の確保が可能であり、該モニターに対して電源の供給をすることが可能な椅子を提供する。【解決手段】椅子装置２は、互いに前後方向に離間して配置される椅子装置２であって、椅子１と、後方の他の椅子１に面する前記椅子１の後面１Ｇに配置されたモニター５０と、該モニター５０を前記椅子１の後面１Ｇに対して着脱可能に取り付けるとともに、前記モニター５０を取り付けた状態で前記後面１Ｇから前記モニター５０へ給電を行う取付手段５とを備えることを特徴とする。【選択図】図１
2014064617.tif 000002
【特許請求の範囲】
【請求項１】
互いに前後方向に離間して配置される椅子装置であって、
椅子と、
後方の他の椅子に面する前記椅子の後面に配置されたモニターと、
該モニターを前記椅子の後面に対して着脱可能に取り付けるとともに、前記モニターを取り付けた状態で前記椅子の後面から前記モニターへ給電を行う取付手段とを備えることを特徴とする椅子装置。
【請求項２】
請求項１に記載の椅子装置において、
前記椅子は、前記他の椅子との間に前記モニターを脱した状態において利用者の通行空間を確保するように構成されていることを特徴とする椅子装置。
【請求項３】
請求項１または請求項２に記載の椅子装置において、
前記取付手段は、前記椅子に設けられたベース部と、
該ベース部に着脱可能に設けられ、前記モニターを回動可能に支持するジョイント部とを有することを特徴とする椅子装置。
【請求項４】
請求項３に記載の椅子装置において、
前記ベース部と前記ジョイント部とは、磁力により着脱可能となっていることを特徴とする椅子装置。
【請求項５】
請求項４に記載の椅子装置において、
前記ベース部には、第一Ｎ極吸着部が設けられるとともに、該第一Ｎ極吸着部から離間した位置に第一Ｓ極吸着部が設けられ、
前記ジョイント部には、前記第一Ｎ極吸着部に対応した位置に第二Ｓ極吸着部が設けられるとともに、前記第一Ｓ極吸着部と対応した位置に第二Ｎ極吸着部が設けられていることを特徴とする椅子装置。
【請求項６】
請求項３から請求項５のいずれか一項に記載の椅子装置において、
前記ベース部または前記ジョイント部の一方には、前記モニターの回動軸方向に向かって延在する凹所が形成され、
前記ベース部または前記ジョイント部の他方には、前記凹所と対応する位置に、前記ベース部または前記ジョイント部の一方側に向かって突出するとともに前記回動軸方向に向かって延在し、前記凹所と嵌合可能な突出部が形成され、
前記凹所は、延在長さの中央部から両側方に向かうにしたがって次第に凹み寸法が減少し、
前記突出部は、延在長さの中央部から両側方に向かうにしたがって次第に突出寸法が減少することを特徴とする椅子装置。
【請求項７】
請求項１から請求項６のいずれか一項に記載の椅子装置において、
前記モニターは、情報を表示する表示本体と、該表示本体を保護する保護部とを有することを特徴とする椅子装置。
【発明の詳細な説明】
【技術分野】
【０００１】
本発明は、椅子装置に関するものである。
【背景技術】
【０００２】
従来より、例えば航空機の客席や劇場の客席等の多数の利用者が着席する空間において、該利用者が着座する椅子は、左右方向に隣接するとともに前後方向に間隔を有して複数配設されている。ここで、前後方向に配設された椅子のうち前方の椅子には、その背面に後方向きのモニター等の電子機器が設けられている場合がある。これにより後方の椅子に着座した利用者が、モニターに映し出された映画やゲーム等の映像を見て楽しむことができる。
【０００３】
上記の電子機器としてモニターを設けた椅子としては、不使用時は前方の椅子の背面に設けられた凹所に納まるようにモニターが取り付けられ、使用時に該モニターを左右方向の軸を中心として回動させ該モニターを前傾させることで後方の椅子に着座する利用者の好みの角度に設定することができるものが提案されている（下記特許文献１参照）。
また、不使用時の態様としては、前方の椅子の背面に設けられた四方枠状の保持枠の内部にモニターが取付けられたものもある（下記特許文献２参照）。
【０００４】
また、上記の電子機器としてラジオカセットテープリコーダを設けた椅子としては、前方の椅子の背面に設けられた凹所に取付られたラジオカセットテープリコーダと、該ラジオカセットテープリコーダと接続線で接続されたヘッドホンとを備えるものがある。このような椅子においては、後方に着座する利用者はヘッドホンから音楽等の音を聞いて楽しむことができる（下記特許文献３参照）。
【０００５】
さらに、上記の電子機器を設けた椅子としては、前方の椅子の背面にモニターとともにプラグ受けが設けられたものがある。このような構成では、プラグ受けにモニターに接続された差込プラグを差し込むことで、電源を該モニターに供給して、モニターに映像等を映し出すことを可能としている。
【先行技術文献】
【特許文献】
【０００６】
【特許文献１】実開昭６４−７８４５号公報
【特許文献２】実開平２−１０６７６号公報
【特許文献３】実開昭６４−１０２５５号公報
【発明の概要】
【発明が解決しようとする課題】
【０００７】
しかしながら、上記の特許文献１及び２に記載のモニターを設けた椅子では、モニターを前方の椅子から取り外すことができないため、利用者の好みの位置で映像を見ることができない。よって、例えば視力の悪い利用者にとっては、モニターまでの距離が遠くて見難く感じる場合があり好ましくなかった。
【０００８】
また、少なくとも使用時にはモニターが椅子の背面から後方に突出するため、後方の椅子と前方の椅子との間の通路幅が狭くなって通行の際に不都合であるばかりか、緊急時の避難通路として有効に通路幅を確保することができないという問題点もある。
【０００９】
また、上記特許文献３に記載のラジオカセットテープリコーダを設けた椅子では、前方の椅子と後方に着座する利用者との間である通路空間に電源供給用のリード線が跨ることとなり、通路空間を通行する者にとってはリード線が邪魔になるという問題点もある。
【００１０】
また、背面にプラグ受けが設けられた椅子においては、モニターに電源を供給するためには、該プラグ受けに差込プラグを差しこまなければならず手間であり煩わしいという問題点もある。
【００１１】
本発明は、上記事情に鑑みてなされたものであり、モニターの取り外しが可能であるとともに通路幅の確保が可能であり、該モニターに対して電源の供給をすることが可能な椅子装置を提供するものである。
【課題を解決するための手段】
【００１２】
上記目的を達成するために、本発明は以下の手段を採用している。
すなわち、本発明に係る椅子装置は、互いに前後方向に離間して配置される椅子装置であって、椅子と、後方の他の椅子に面する前記椅子の後面に配置されたモニターと、該モニターを前記椅子の後面に対して着脱可能に取り付けるとともに、前記モニターを取り付けた状態で前記椅子の後面から前記モニターへ給電を行う取付手段とを備えることを特徴とする。
【００１３】
このような椅子装置では、取付手段によりモニターが着脱可能であるため該モニターを椅子から取り外すことができるとともに、電源供給可能であるため該モニターに電源を供給して、該モニターに映像等の情報を表示することができる。
【００１４】
また、本発明に係る椅子装置は、前記椅子は、前記他の椅子との間に前記モニターを脱した状態において利用者の通行空間を確保するように構成されていることが好ましい。
【００１５】
このような椅子装置では、モニターを脱した状態において、後方に配置される椅子は、前方に配置される椅子との間に利用者の通行空間を確保するように構成されているため、通路幅が確保され、利用者は支障なく通行することができる。
【００１６】
また、本発明に係る椅子装置は、前記取付手段は、前記椅子に設けられたベース部と、該ベース部に着脱可能に設けられ、前記モニターを回動可能に支持するジョイント部とを有していてもよい。
【００１７】
このような椅子装置では、モニターはジョイント部と一体として、椅子に設けられたベース部に対して着脱可能に設けられているため、モニターを椅子から取り外すことが可能である。
また、モニターはジョイント部を介して椅子に対して回動可能であるため、利用者の好みに応じてモニターの角度を調整することができる。
【００１８】
また、本発明に係る椅子装置は、前記ベース部及び前記ジョイント部の一方側には凸部が設けられ、前記ベース部及び前記ジョイント部の他方側には凹部が設けられ、前記ベース部と前記ジョイント部とは、該凸部と該凹部との嵌合により着脱可能とされていてもよい。
【００１９】
このような椅子装置では、凸部と凹部との嵌合により、ジョイント部は椅子に設けられたベース部に取り付くとともに、該嵌合を外すことにより、ジョイント部をベース部から取り外すことができる。よって、ジョイント部を介してモニターを椅子に容易に固定することができるとともに、モニターを椅子から容易に取り外すことができる。
【００２０】
また、本発明に係る椅子装置は、前記ベース部と前記ジョイント部とは、前記凹部が弾性変形することにより着脱可能とされていてもよい。
【００２１】
このような椅子装置では、凹部が弾性変形することにより、凸部を凹部に対して確実に嵌合させることができるとともに、嵌合した状態から容易に取り外すことができる。よって、モニターを椅子により確実に固定することができるとともに、モニターを椅子からより一層容易に取り外すことができる。
【００２２】
また、本発明に係る椅子装置は、前記一方側には、該凸部の基部を支持する支持部が設けられ、前記他方側には、該支持部を挟持する挟持部が設けられ、前記ベース部と前記ジョイント部とは、該挟持部が弾性変形することにより着脱可能とされていてもよい。
【００２３】
このような椅子装置では、挟持部が弾性変形することにより、挟持部に支持部を確実に挟持させることができるとともに、挟持した状態から容易に取り外すことができる。よって、モニターを椅子により確実に固定することができるとともに、モニターを椅子からより一層容易に取り外すことができる。
【００２４】
また、本発明に係る椅子装置は、前記ベース部と前記ジョイント部とは、磁力により着脱可能となっていてもよい。
【００２５】
このような椅子装置では、ジョイント部は椅子に設けられたベース部に対して磁力により吸着することができるとともに、磁力により分離することができる。よって、ジョイント部を介してモニターを椅子に容易に固定することができるとともに、モニターを椅子から容易に取り外すことができる。
【００２６】
また、本発明に係る椅子装置は、前記ベース部には、第一Ｎ極吸着部が設けられるとともに、該第一Ｎ極吸着部から離間した位置に第一Ｓ極吸着部が設けられ、前記ジョイント部には、前記第一Ｎ極吸着部に対応した位置に第二Ｓ極吸着部が設けられるとともに、前記第一Ｓ極吸着部と対応した位置に第二Ｎ極吸着部が設けられていてもよい。
【００２７】
このような椅子装置では、ベース部の第一Ｎ極吸着部とジョイント部の第二Ｓ極吸着部とが吸着するとともに、ベース部の第一Ｓ極吸着部とジョイント部の第二Ｎ極吸着部とが吸着する。よって、ベース部に対してジョイント部が所定の位置に取り付けられるため、ジョイント部に支持されたモニターは、ベース部が設けられた椅子に対して、所定の位置に取り付けられる。
【００２８】
また、本発明に係る椅子装置は、前記ベース部または前記ジョイント部の一方には、前記モニターの回動軸方向に向かって延在する凹所が形成され、前記ベース部または前記ジョイント部の他方には、前記凹所と対応する位置に、前記ベース部または前記ジョイント部の一方側に向かって突出するとともに前記回動軸方向に向かって延在し、前記凹所と嵌合可能な突出部が形成され、前記凹所は、延在長さの中央部から両側方に向かうにしたがって次第に凹み寸法が減少し、前記突出部は、延在長さの中央部から両側方に向かうにしたがって次第に突出寸法が減少してもよい。
【００２９】
このような椅子装置では、ベース部とジョイント部とは凹所と突出部とで嵌合しているため、該ベース部とジョイント部とが対向する方向に力を加えても、取り外すことは困難である。よって、利用者が、モニターに対してこの対向する方向に力を加えて回動させても、該モニターが椅子から落下することはない。
一方、凹所及び突出部がそれぞれの延在方向の両側方に向かうにしたがってそれぞれ凹み寸法及び突出寸法が減少するように形成されているため、モニターの回動軸方向に沿って容易に取り外すことができる。
【００３０】
また、本発明に係る椅子装置は、前記ベース部及び前記ジョイント部の一方側には一方の面ファスナー構成部材が設けられ、前記ベース部及び前記ジョイント部の他方側には他方の面ファスナー構成部材が設けられ、前記ベース部と前記ジョイント部とは、該一方の面ファスナー構成部材と該他方のファスナー構成部材との止着により着脱可能とされていてもよい。
【００３１】
このような椅子装置では、一方の面ファスナー構成部材と他方の面ファスナー構成部材との止着により、ジョイント部は椅子に設けられたベース部に取り付くとともに、ジョイント部をベース部から取り外すことができる。よって、ジョイント部を介してモニターを椅子に容易に固定することができるとともに、モニターを椅子から容易に取り外すことができる。
【００３２】
また、本発明に係る椅子装置は、前記モニターは、情報を表示する表示本体と、該表示本体を保護する保護部とを有していてもよい。
【００３３】
このような椅子装置では、モニターが椅子から脱して落下した場合でも、該モニターの表示本体は保護部に保護されているため、該モニターが損傷して故障する虞がない。
【発明の効果】
【００３４】
本発明に係る椅子装置によれば、モニターが着脱可能であるためモニターの取り外しが可能であるとともに通路幅の確保が可能であり、該モニターに対して電源の供給をすることができる。
【図面の簡単な説明】
【００３５】
【図１】本発明の第一実施形態に係る椅子装置が略水平とされた床に前後方向に複数列設けられた状態での側面図である。
【図２】本発明の第一実施形態に係る椅子装置の背面図である。
【図３】本発明の第一実施形態に係る椅子装置の斜視図である。
【図４】本発明の一実施形態に係る椅子装置を構成するモニターを脱した状態を示す斜視図である。
【図５】本発明の一実施形態に係る椅子装置を構成するモニターを取り付けた状態を示す斜視図である。
【図６】本発明の第二実施形態に係る椅子装置を構成するモニターを脱した状態を示す斜視図である。
【図７】本発明の第三実施形態に係る椅子装置を構成するモニターを脱した状態を示す斜視図である。
【図８】本発明の第四実施形態に係る椅子装置を構成するモニターを脱した状態を示す（ａ）斜視図、（ｂ）ベース部の拡大斜視図、（ｃ）ジョイント部の拡大斜視図である。
【図９】本発明の第五実施形態に係る椅子装置を構成するモニターを脱した状態を示す（ａ）斜視図、（ｂ）ジョイント部の拡大斜視図、（ｃ）変形例に係るジョイント部の拡大断面図である。
【図１０】本発明の第六実施形態に係る椅子装置を構成するモニターを脱した状態を示す斜視図である。
【図１１】本発明の第七実施形態に係る椅子装置を構成するモニターを脱した状態を示す斜視図である。
【図１２】本発明の第八実施形態に係る椅子装置の側面図である。
【図１３】本発明の第八実施形態に係る椅子装置を構成するベース部の正面図である。
【図１４】本発明の第八実施形態に係る椅子装置を構成するモニターの正面図である。
【図１５】本発明の第八実施形態に係る椅子装置を構成するモニターの一の側面図である。
【図１６】本発明の第八実施形態に係る椅子装置を構成するモニターの他の側面図である。
【図１７】本発明の第八実施形態に係る椅子装置を構成するジョイント部の内部構成を示す模式図である。
【図１８】本発明の第八実施形態に係る椅子装置を構成するジョイント部がベース部に取り付けられた場合の内部構成を示す模式図である。
【図１９】本発明の第一実施形態の変形例に係る椅子装置が階段状に形成された床に前後方向に複数列設けられた状態での縦断面図である。
【発明を実施するための形態】
【００３６】
（第一実施形態）
（椅子装置）
以下、本発明の第一実施形態に係る椅子装置について説明する。
図１は、例えば演劇場や映画館等の施設に椅子装置が複数設けられた状態の側面図である。
図１に示すように、椅子装置２は、幕板部材３の後方に設けられ、利用者Ｘの着座を可能とする椅子１と、情報表示用のモニター５０と、該モニター５０を椅子１に取り付ける取付手段５とを備えている。また、椅子装置２は、前後方向に離間して複数配置されている。
ここで、椅子１に利用者Ｘが着座した状態で、利用者Ｘが正面を向く側（図１に示す紙面左側）を前側とし、反対側（図１に示す紙面右側）を後側とする。また、同じく椅子１に利用者Ｘが着座した状態で、利用者Ｘの右側（図１に示す紙面奥行き方向奥側）を右側とし、利用者Ｘの左側（図１に示す紙面奥行き方向手前側）を左側とする。
【００３７】
（幕板部材）
幕板部材３は、左右方向に延在する板状部材であり、その下端が床Ｆに固定されている。また、幕板部材３の後面３Ａには、詳細については後述する椅子１に設けられたモニター５０と同一のモニター５０が取付手段５により取り付けられている。
【００３８】
（椅子）
椅子１は、略全域にわたって略水平とされた床Ｆに固定された幕板部材３と所定の間隔を有した後方に配設されている。ここで、幕板部材３の後方には、床Ｆに固定された一列目（図１に示すＡ列目）の椅子１が左右方向に複数（不図示。以下同じ。）配設されている。また、該Ａ列目の椅子１と所定の間隔を有した後方には、二列目（図１に示すＢ列目）の椅子１が左右方向に複数配設されており、このようにして前後方向に連続して複数列の椅子１が配設されている。
この椅子１は、床Ｆに固定された支持部（不図示。以下同じ。）と、該支持部に支持された座部２０と、左右一対の肘掛部３０と、支持部から立設する背板部４０とを有している。また、椅子１の後面１Ｇには映像等を映し出すモニター５０が設けられている。
【００３９】
図１に示すように、座部２０は、略直方体状に形成されたものであり、その基端部が支持部に支持されている。この座部２０は後部２０Ｙに設けられた左右方向を軸線方向とする軸部（不図示）を中心として回動可能とされるとともに、前部２０Ｘを上方に向ける方向に付勢手段（不図示）により付勢されている。すなわち、利用者Ｘが着座した状態（図１に示すＡ列目に位置する椅子１の状態）では、座部２０は後部２０Ｙから前部２０Ｘに向かうにしたがってわずかに上方を向くように傾斜して設けられている。また、利用者Ｘが着座していない状態（図１に示すＣ列目に位置する椅子１の状態）では、座部２０は前部２０Ｘを上方に向けて跳ね上げられた状態として設けられている。
また、座部２０の上面が座面２０Ａとして構成され、利用者Ｘが座部２０に着座した際には該利用者Ｘの臀部Ｘ１及び下肢Ｘ２が該座面２０Ａに当接する。
【００４０】
肘掛部３０は、左右一対で構成され、床Ｆから立設して設けられている。図２に示すように、左右方向に隣接する椅子１において肘掛部３０は共通部材として構成されており、すなわち肘掛部３０は右側椅子１の構成部材であるとともに、左側椅子１の構成部材でもある。
【００４１】
背板部４０は、正面視して略矩形状に形成されており、支持部から立設している。図１に示すように、この背板部４０は、上方に向かうにしたがって後方に向かうように後傾とされている。そして、背板部４０は、利用者Ｘが座部２０に着座した際には、該利用者Ｘの背中Ｘ４を後方から支持する。
また、図１及び図３に示すように、背板部４０の内部には、電源供給及び情報供給用のコード６７が配設されており、その下端は例えば支持部の下方に設けられた電源（不図示）に接続され、その上端は後述する取付手段５に接続されている。
【００４２】
（モニター）
図３に示すように、モニター５０は、情報を表示する表示本体５１と、該表示本体５１を保護する保護部５２とを有している。また、図１に示すように、モニター５０は、後方の他の椅子１（前方に配置された椅子をＡ列目の椅子１とすると、後方の他の椅子はＢ列目の椅子１に相当）に面する前方（Ａ列目）の椅子１の後面１Ｇに配置されている。このモニター５０には、電源が供給された場合に充電可能な二次電池が内蔵されている（不図示）。
【００４３】
図３に示すように、表示本体５１は、正面視して略矩形状に形成されており、映画やゲーム等の映像を表示する液晶等の画面である。この表示本体５１は、後方を向くように配設されている。
保護部５２は、略枠状に形成され、表示本体５１を保護するための筐体部材であり、例えば、樹脂等で構成され、表示本体５１の上側、右側、下側、左側のそれぞれに配された上保護部５２Ａ、右保護部５２Ｂ、下保護部５２Ｃ、左保護部５２Ｄを有している。
図４及び図５に示すように、上保護部５２Ａには、後述する取付手段５が取り付く左右一対のモニター取付部５３が設けられている。
モニター取付部５３は、上保護部５２Ａの左端及び右端から上方に向かって突出しており、その左右方向内方の面には後述する取付手段５の取付を可能とする穴部５４が形成されている。
【００４４】
（取付手段）
取付手段５は、椅子１に設けられたベース部６０と、該ベース部６０に着脱可能に設けられ、モニター５０を回動可能に支持するジョイント部７０とを有しており、モニター５０を椅子１の後面１Ｇに対して着脱可能に取り付けるとともに、モニター５０を取り付けた状態で、椅子１の後面１Ｇからモニター５０への給電を行うものである。
【００４５】
ベース部６０は、Ｂ列目の椅子１の前方に配設されたＡ列目の椅子１の背板部４０の後面４０Ａに設けられ、正面視して略矩形状に形成されておりその左右寸法はモニター５０の左右方向寸法よりも小さく設定されている。このベース部６０には、左右方向に距離Ｈ離間して一対の凹部６１が設けられている。
凹部６１は、例えばその内部が銅等の金属材料で構成されるとともにコード６７に接続されており（不図示）、電源が供給されることで導通可能とされている。
【００４６】
ジョイント部７０は、モニター５０の一対のモニター取付部５３の間に配設されている。このジョイント部７０は、前壁部７０Ａ、後壁部７０Ｂ、上壁部７０Ｃ、下壁部７０Ｄ、第一側壁部７０Ｅ及び第二側壁部７０Ｆで略直方体状に形成されている。
【００４７】
前壁部７０Ａには、左右方向に距離Ｈ離間して一対の凸部（端子）７１が形成されている。
凸部７１は、ベース部６０に設けられた凹部６１に対応した形状である。この凸部７１は、凹部６１と嵌合することで、ジョイント部７０がベース部６０に取り付けが可能であるとともに、モニター５０への電源の供給（給電）及び情報の供給が可能とされている。また、凸部７１を凹部６１から取り外すことにより、ジョイント部７０をベース部６０から取り外すことができる。このようにして、ジョイント部７０とベース部６０とは、凸部７１と凹部６１により着脱可能に構成されている。
【００４８】
また、ジョイント部７０には、左右方向を軸線方向Ｏとする回動軸７３が挿通されており、該回動軸７３の両端部が第一側壁部７０Ｅ及び第二側壁部７０Ｆから突出している。この回動軸７３がモニター５０のモニター取付部５３に形成された穴部５４に挿入されることで、モニター５０はジョイント部７０に対して回動可能に固定されている。すなわち、ジョイント部７０がベース部６０に取り付けられた状態で、モニター５０は回動軸７３を中心として背板部４０に対して回動可能とされている。
【００４９】
また、モニター５０は、図５に示すように表示本体５１が真後方を向く状態からＰ方向に回動して、図１に二点鎖線で示すように表示本体５１が上方を向く状態へと回動する。なお、回動する際には、任意の位置にて回動が停止し、モニター５０の位置を固定可能な構成となっている。なお、モニター５０を背板部４０の後面４０Ａに沿う状態まで回動することとしてもよい（不図示）。
【００５０】
（通行空間）
図１に示すように、前方に配設された椅子１（又は幕板部材３）と後方に配設された椅子１との間は、取付手段５により背板部４０（又は幕板部材３）に設けられたベース部６０からジョイント部７０を脱した状態において、利用者Ｘの通行空間Ｗを確保するように構成されている。
【００５１】
次に、上記のように構成された椅子装置２の動作について説明する。
まず、利用者Ｘが椅子１に着座し、モニター５０が椅子１に取り付いている状態について説明する。
ジョイント部７０に設けられた凸部７１とベース部６０に設けられた凹部６１との嵌合により、該ジョイント部７０はベース部６０に取り付けられている。また、モニター５０の表示本体５１が真後方を向く状態（図１のＡ列目の椅子１の背板部４０の後面に取り付けられたモニター５０が実線で示されている状態）とされている。
この状態で、支持部の下方に設けられた電源に接続されたコード６７には電源及び情報が供給され、凸部７１と凹部６１との嵌合により、モニター５０に電源及び情報が供給されている。これにより、モニター５０の表示本体５１には映像等の情報が表示され、Ｂ列目の椅子１に着座した利用者Ｘは、Ａ列目の椅子１に取り付けられたモニター５０に表示される映像等を見ることができる。また、図１において二点鎖線で示すように、利用者ＸＸは、モニター５０をジョイント部７０に対して回動させて、所望の傾斜角度にモニター５０を位置させることができる。
【００５２】
次に、モニター５０を椅子１から取り外した状態について説明する。
利用者Ｘが、モニター５０を把持して後方に引き寄せれば、凸部７１と凹部６１との嵌合が外れて、モニター５０はベース部６０から外れる。ここで、モニター５０には二次電池が内蔵されているため、モニター５０の表示本体５１には所定時間情報が表示される。よって、図１のＡ列目の椅子１に着座する利用者Ｘに示されるように、利用者Ｘは、モニター５０を手元に近づけてより近距離で映像等を鑑賞することができる。
【００５３】
次に、緊急時等において、モニター５０が椅子１に取り付いている状態で、利用者Ｘが避難する場合の動作について説明する。
例えば、図１のＣ列目の椅子１に着座していた利用者Ｘが立ち上がって、該利用者Ｘの腕がモニター５０に触れると、凸部７１と凹部６１との嵌合が外れてモニター５０がＢ列目の椅子１の背板部４０から外れる場合がある。この状態で、Ｂ列目の椅子１とＣ列目の椅子１との間は利用者Ｘの通行空間Ｗを確保するように構成されているため、利用者Ｘは該通行空間Ｗを通行して、避難することができる。
なお、モニター５０が幕板部材３に取り付いている場合及び幕板部材３から外れた場合も上記と同様の動作が可能であり、説明を省略する。
【００５４】
このように構成された椅子装置２では、ジョイント部７０に設けられた凸部７１をベース部６０に設けられた凹部６１に嵌合させることで、モニター５０を前方に配設された幕板部材３及び椅子１に固定することができる。また、凸部７１を凹部６１から取り外すことにより、モニター５０を前方に配設された幕板部材３及び椅子１から取り外すことができる。
【００５５】
また、上記の固定及び取り外しは、凸部７１と凹部６１との嵌合により行われている。よって、ジョイント部７０をベース部６０に対向させ、該ジョイント部７０又は該ジョイント部７０を介したモニター５０を前方に押し付ければ、モニター５０を幕板部材３及び椅子１に容易に固定することができる。また、ジョイント部７０又は該ジョイント部７０を介したモニター５０を後方に引けば、モニター５０を幕板部材３及び椅子１から容易に取り外すことができる。
【００５６】
また、幕板部材３及び椅子１からモニター５０を取り外した状態で、前方に配設された椅子１（又は幕板部材３）と後方に配設された椅子１との間は通行空間Ｗが確保されている。よって、利用者Ｘが通行する際の通路幅が十分に確保されているため、利用者Ｘは支障なく通行することができる。
【００５７】
例えば、緊急の避難時において、利用者Ｘの腕等がモニター５０に触れることで、該モニター５０が幕板部材３及び椅子１からに外れる場合がある。この状態で通行空間Ｗが確保されているため、利用者Ｘは迅速に避難することができるため、避難上の安全性を高めることができる。
【００５８】
また、上記のようにモニター５０が外れて落下した場合でも、該モニター５０の表示本体５１は保護部５２に保護されているため、該モニター５０が損傷して故障する虞がない。
【００５９】
また、凹部６１に凸部７１を嵌合させれば電気的に導通状態となり、モニター５０に対しての電源及び情報の供給が可能であるため、簡易な構成で電源及び情報の供給が可能である。
【００６０】
また、コード６７は背板部４０の内部に配設されているため、椅子１の外方に該コード６７が露出することはない。よって、通行空間Ｗを通行する利用者Ｘにとって、コード６７が通行の邪魔になることはないとともに、外観上の納まりを良好とすることができる。
【００６１】
また、モニター５０は、幕板部材３及び椅子１に対して回動可能であるため、利用者Ｘはモニター５０を回動することで、好みに応じた最適な角度でモニター５０に映し出された映像等を鑑賞することができる。さらに、図１に示すように、モニター５０を取り外して手元に持って鑑賞することもできるため、利用者Ｘの使い勝手をさらに良好とすることができる。
【００６２】
より具体的には、例えば演劇場内において電源供給設備の設置が困難な場合には、別の場所に設けられた電源供給設備により、モニター５０に内蔵された二次電池に対して充電することができる。これにより、最前列席、桟敷席、車椅子席、補助席等の席に着座する利用者に、該モニター５０を貸し出すことができる。よって、該利用者はモニター５０を手に持って鑑賞することが可能となり、使い勝手を良好とすることができる。
【００６３】
また、ベース部６０の左右方向の寸法が、モニター５０の左右方向の寸法よりも小さく設定されているため、モニター５０を椅子１から取り外した状態において、ベース部６０が目立つことはなく外観を良好とすることができる。
【００６４】
また、モニター５０が椅子１の背板部４０の内部に埋め込まれていないため、該モニター５０のメンテナンスを容易に行うことができる。さらに、例えばモニター５０を、大型機種や、付加機能を追加した機種等に変更する際にも、該モニター５０の交換が容易であるため、柔軟に対応することができる。
【００６５】
（第二実施形態）
次に、本発明の第二実施形態に係る椅子装置２について、図６を用いて説明する。
なお、本実施形態において前述した実施形態と共通する構成については、同一の符号を付してその説明を省略する。
【００６６】
本実施形態におけるベース部２６０の左右方向の寸法は、第一実施形態におけるベース部６０の左右方向の寸法よりも大きく設定されている。
【００６７】
すなわち、ベース部２６０は、その左右方向の寸法Ｊが第一実施形態におけるベース部６０の左右方向の寸法Ｋ（図４参照）よりも大きく設定されている。このベース部２６０には、左右方向に離間して一対の凹部６１が設けられている。ここで、該離間距離Ｉは、図４に示す離間距離Ｈよりも大きく設定されている。
【００６８】
ジョイント部２７０は、モニター２５０の一対のモニター取付部２５３の間に配設されており、凸部７１が設けられたジョイント本体２７２と、左右方向を軸線方向Ｏとする回動軸２７３とを有している。
【００６９】
ジョイント本体２７１は、前面側がベース部２６０と対応した略矩形状に形成され、後方に向かうにしたがって上下方向の寸法を小さくするように側面視して略三角形に形成されている。このジョイント本体２７１は、前面側を形成する前壁部２７０Ａと、該前壁部２７０Ａの上部と連続する上壁部２７０Ｃと、前壁部２７０Ａの下部と連続する下壁部２７０Ｄとを有している。
前壁部２７０Ａには、左右方向に距離Ｉ離間して一対の凸部７１が形成されている。
【００７０】
回動軸２７３は、左右方向を軸線方向Ｏとして、上壁部２７０Ｃの後部Ｙ及び下壁部２７０Ｄの後部に連続して形成されている。この回動軸２７３の両端が、モニター２５０のモニター取付部２５３に形成された穴部２５４に挿入されることで、モニター２５０はジョイント部２７０に対して回動可能に固定されている。すなわち、ジョイント部２７０がベース部２６０に取り付けられた状態で、モニター２５０は回動軸２７３を中心として背板部４０に対して回動可能とされている。
【００７１】
このように構成された椅子装置２０２では、凸部７１及び凹部６１の離間距離を長くすることができるため、ベース部２６０はモニター２５０を安定的に支持することができる。よって、例えばモニター２５０の重量が大きい場合でも、モニター２５０を幕板部材３及び椅子１に確実に固定することができる。
【００７２】
（第三実施形態）
次に、本発明の第三実施形態に係る椅子装置３０２について、図７を用いて説明する。
なお、本実施形態において前述した実施形態と共通する構成については、同一の符号を付してその説明を省略する。
【００７３】
第二実施形態においては、ベース部２６０には左右方向に離間して一対の凹部６１が設けられ、ジョイント部２７０にも左右方向に離間して一対の凸部７１が設けられている。一方、本実施形態においては、上下方向及び左右方向に離間して複数の凹部３６１及び凸部３７１が設けられている。
【００７４】
すなわち、ベース部３６０には、上下方向及び左右方向に離間して複数の凹部３６１が設けられている。
本実施形態では、例えば上下方向に４個、左右方向に１０個の凹部３６１が設けられている。なお、当該数値は一例であり、本実施形態は当該数値に限定されるものではない。
【００７５】
ジョイント部３７０には、ベース部３６０の凹部３６１に対応して、上下方向及び左右方向に離間して複数の凸部３７１が設けられている。
【００７６】
また、凹部３６１及び凸部３７１は、上下方向、左右方向に整列して配置されているが、千鳥状に配置されていてもよい。
この凹部３６１及び凸部３７１のうち、対応する任意の２個が電気的に導通可能とされている。
【００７７】
このように構成された椅子装置３０２では、凸部３７１と凹部３６１との嵌合を多数設けることができるため、ベース部３６０はモニター２５０を安定的に支持することができ、モニター２５０を幕板部材３及び椅子１に確実に固定することができる。また、凸部３７１を凹部３６１から取り外すことにより、モニター２５０を前方に配設された幕板部材３及び椅子１から取り外すことができる。
【００７８】
（第四実施形態）
次に、本発明の第四実施形態に係る椅子装置４０２について、図８を用いて説明する。
なお、本実施形態において前述した実施形態と共通する構成については、同一の符号を付してその説明を省略する。
【００７９】
本実施形態においては、凹部４６１が弾性変形可能とされている。
すなわち、ベース部４６０には、上下方向に間隔を有して左右方向に延在する凹部４６１が複数形成されている。このベース部４６０は、例えば弾性変形が可能な樹脂等で形成されている。
凹部４６１は、基部４６１Ａと、該基部４６１Ａから後方に向かって突出する一対の突出部４６１Ｂとを有している。この凹部４６１は、断面視して基部４６１Ａから先端部に向かうに従って幅狭に形成されている。
なお、本実施形態では、凹部４６１は上下方向に７個設けられている。この凹部４６１のうち、任意の２個の凹部４６１の基部４６１Ａは、銅等の金属材料で形成され電気的に導通可能とされている。
【００８０】
ジョイント部４７０には、該凹部４６１に対応して、上下方向に間隔を有して左右方向に延在する凸部４７１が複数形成されている。このベース部４６０は、例えば樹脂等で形成されている。
なお、本実施形態では、凸部４７１は上下方向に７個設けられている。この凸部４７１のうち、銅等の金属材料で形成された凹部４６１と対応する凸部４７１は、銅等の金属材料で形成され電気的に導通可能とされている。
上記に示す数値は一例であり、本実施形態は当該数値に限定されるものではない。
【００８１】
次に、上記のように構成された椅子装置４０２において、モニター２５０を椅子１に取り付ける動作について説明する。
ジョイント部４７０に設けられた凸部４７１を、ベース部４６０に設けられた凹部４６１に対して、正面から挿入する。ここで、凹部４６１の上側の突出部４６１Ｂが上方に広がり、下側の突出部４６１Ｂが下側に広がるように弾性変形することで、該凹部４６１と凸部４７１との嵌合が可能となる。
【００８２】
次に、モニター２５０を椅子１から取り外した状態について説明する。
利用者Ｘが、モニター２５０を把持して後方に引き寄せたり、該利用者Ｘの腕がモニター２５０に触れると、凹部４６１の上側の突出部４６１Ｂがさらに上側に広がり、下側の突出部４６１Ｂがさらに下側に広がるようにして弾性変形することで、該凹部４６１と凸部４７１との嵌合が外れて、モニター２５０はベース部４６０から外れる。
【００８３】
このように構成された椅子装置４０２では、凹部４６１が弾性変形することにより、凸部４７１を凹部４６１に対して確実に嵌合させることができるとともに、嵌合した状態から容易に取り外すことができる。よって、モニター２５０を椅子１により確実に固定することができるとともに、モニター２５０を椅子１からより一層容易に取り外すことができる。
【００８４】
なお、上記に示す突出部４６１Ｂの動作は一例であり、嵌合する際には上側の突出部４６１Ｂ及び下側の突出部４６１Ｂの一方のみが上方又は下側に広がり、取り外す際には上側の突出部４６１Ｂ及び下側の突出部４６１Ｂの一方のみが上方又は下側に広がる構成であってもよい。
【００８５】
（第五実施形態）
次に、本発明の第五実施形態に係る椅子装置５０２について、図９を用いて説明する。
なお、本実施形態において前述した実施形態と共通する構成については、同一の符号を付してその説明を省略する。
【００８６】
第四実施形態においては、凹部４６１が弾性変形することによりベース部４６０とジョイント部４７０との着脱が可能とされている。一方、本実施形態においては、ベース部５６０自体が弾性変形することによりベース部５６０とジョイント部５７０との着脱が可能とされている。
【００８７】
すなわち、ベース部５６０は、断面視してＣ字状に形成され、背板部４０に取り付けられたベース取付部５６０Ａと、該ベース取付部５６０Ａの上部から後方に向かって延出するベース上壁部５６０Ｂと、ベース取付部５６０Ａの下部から後方に向かって延出するベース下壁部５６０Ｃと、該ベース上壁部５６０Ｂの端部から下方に向かって延出するベース上折曲部５６０Ｄと、ベース下壁部５６０Ｃの端部から上方に向かって延出するベース下折曲部５６０Ｅとを有している。ここで、上記のベース取付部５６０Ａ、ベース上壁部５６０Ｂ、ベース下壁部５６０Ｃ、ベース上折曲部５６０Ｄ及びベース下折曲部５６０Ｅが挟持部として構成されている。
なお、ベース部５６０は、例えば弾性変形が可能な樹脂等で形成されている。
【００８８】
ベース取付部５６０Ａには、左右方向に離間して一対の凹部５６１が設けられている。
ベース上折曲部５６０Ｄには、左右方向に離間して、その下部から上方に向かって第一スリット５６０Ｆが複数形成されている。
ベース下折曲部５６０Ｅには、左右方向に離間して、その上部から下方に向かって第二スリット５６０Ｇが複数形成されている。
【００８９】
ジョイント部５７０を構成するジョイント本体（支持部）５７２の前壁部５７２Ａには、左右方向に離間して一対の凸部５７１が形成されている。
図９（ｂ）に示すように、凸部５７１は、前壁部５７２Ａから前方に向かって突出する突出部５７３と、該突出部５７３の先端に設けられた球状の球部５７４と、突出部５７３の内部に配設され球部５７４を前方に向かって付勢する付勢部５７５とを有している。
球部５７４は、付勢部５７５により前方に付勢され、常態においてその半球部分が突出部から突出するように突出部５７３に支持されている。
【００９０】
また、ベース部５６０の凹部５６１とジョイント部５７０の凸部５７１とが嵌合することで、電気的に導通可能とされている。
【００９１】
次に、上記のように構成された椅子装置５０２において、モニター２５０を椅子１に取り付ける動作について説明する。
ジョイント部５７０の前壁部５７２Ａを、ベース部５６０の挟持部で形成された空間内に挿入するようにして、左右方向一方側から他方側（例えば、図９（ａ）に示す矢印Ｒの方向。以下Ｒ方向と称する。）に向かって挿入する。
【００９２】
ここで、ベース部５６０のベース上折曲部５６０Ｄが上方から下方に向かうにしたがって後方に向かうように広がり、ベース下折曲部５６０Ｅが下方から上方に向かうにしたがって後方に向かうように広がる。また、凸部５７１の球部５７４の先端がベース部５６０のベース取付部５６０Ａに当接することで、該球部５７４は突出部５７３の内部に収容されるように後方に移動する。このようにして、ジョイント本体５７２は、ベース部５６０の挟持部で形成された空間内に挿入可能となる。
【００９３】
そして、ジョイント部５７０をさらにＲ方向に移動させて凸部５７１と凹部５６１とが対向する位置まで移動させると、球部５７４は付勢部５７５により前方に付勢され、凸部５７１と凹部５６１とが嵌合する。
このようにして、ベース上折曲部５６０Ｄ及びベース下折曲部５６０Ｅが弾性変形することで、該凹部５６１と凸部５７１との嵌合が可能となる。ここで、第一スリット５６０Ｆ、第二スリット５６０Ｇにより、ベース上折曲部５６０Ｄ、ベース下折曲部５６０Ｅはそれぞれ弾性変形することを容易とされている。
【００９４】
次に、モニター２５０を椅子１から取り外した状態について説明する。
利用者Ｘが、モニター２５０を把持して後方に引き寄せたり、該利用者Ｘの腕がモニター２５０に触れると、ベース上折曲部５６０Ｄが上方から下方に向かうにしたがってさらに後方に向かうようにさらに広がり、ベース下折曲部５６０Ｅが下方から上方に向かうにしたがってさらに後方に向かうようにさらに広がる。このようにして、ベース上折曲部５６０Ｄ及びベース下折曲部５６０Ｅが弾性変形することで、ジョイント部５７０はベース部５６０から外れて、モニター２５０はベース部５６０から外れる。
【００９５】
このような椅子装置５０２では、挟持部が弾性変形することにより、挟持部にジョイント本体５７２を確実に挟持させることができるとともに、挟持した状態から容易に取り外すことができる。よって、モニター２５０を椅子１により確実に固定することができるとともに、モニター２５０を椅子１からより一層容易に取り外すことができる。
【００９６】
（第五実施形態の変形例）
第五実施形態の変形例として、図９（ｃ）に示すように、ジョイント本体５７２Ｐの前壁部５７２Ｂに凸部５７１Ｐが設けられ、該前壁部５７２Ｂ自体が付勢部５７５Ｐによって前方に向かって付勢されている構成であってもよい。
【００９７】
この場合でも、モニター２５０を椅子１に取り付ける際には、前壁部５７２Ｂがベース部５６０のベース取付部５６０Ａに当接することで、該前壁部５７２Ｂは後方に移動する。このようにして、ジョイント本体５７２Ｐは、ベース部５６０の挟持部で形成された空間内に挿入可能となる。
そして、凸部５７１Ｐと凹部５６１とが対向する位置まで移動すると、凸部５７１Ｐは付勢部５７５Ｐにより前方に付勢され、凸部５７１Ｐと凹部５６１とが嵌合可能となる。
【００９８】
（第六実施形態）
次に、本発明の第六実施形態に係る椅子装置６０２について、図１０を用いて説明する。
なお、本実施形態において前述した実施形態と共通する構成については、同一の符号を付してその説明を省略する。
【００９９】
本実施形態においては、凹部６６１と凸部６７１との嵌合及び磁力によりベース部６６０とジョイント部６７０との着脱が可能とされている。
【０１００】
すなわち、ベース部６６０には、一対の凹部６６１の間に第一磁気吸着部６６２が設けられている。
また、ジョイント部６７０には、一対の凸部６７１の間に第二磁気吸着部６７２が設けられている。
本実施形態では、第一磁気吸着部６６２及び第二磁気吸着部６７２は、磁石で構成されている。
【０１０１】
このベース部６６０の一対の凹部６６１とジョイント部６７０の一対の凸部６７１とが嵌合することで、電気的に導通可能とされている。
【０１０２】
このように構成された椅子装置６０２では、ジョイント部６７０は椅子１に設けられたベース部６６０に対して、凹部６６１と凸部６７１との嵌合及び磁力により取付けが可能である。また、凹部６６１と凸部６７１との嵌合を取り外すこと及び磁力の分離により、ジョイント部６７０をベース部６６０から取り外すことができる。よって、ジョイント部６７０を介してモニター２５０を幕板部材３及び椅子１に容易に固定することができるとともに、モニター２５０を幕板部材３及び椅子１から容易に取り外すことができる。
【０１０３】
また、本実施形態では、磁力による吸着力が作用する分だけ、第一実施形態よりも凸部６７１の突出高さを小さくすることが可能である。よって、モニター２５０を幕板部材３及び椅子１から取り外した状態において、モニター２５０の外観をコンパクトで良好とすることができる。
【０１０４】
（第七実施形態）
次に、本発明の第七実施形態に係る椅子装置７０２について、図１１を用いて説明する。
なお、本実施形態において前述した実施形態と共通する構成については、同一の符号を付してその説明を省略する。
【０１０５】
本実施形態においては、第六実施形態の第一磁気吸着部６６２及び第二磁気吸着部６７２の構成にかえて、面ファスナー構成部材によりベース部７６０とジョイント部７７０との着脱が可能とされている。
【０１０６】
すなわち、ベース部７６０には、一対の凹部６６１と、一方の面ファスナー構成部材７７１とが設けられている。
また、ジョイント部７７０には、一対の凸部６７１と、他方の面ファスナー構成部材７７２とが設けられている。
【０１０７】
このベース部７６０の一対の凹部６６１とジョイント部７７０の一対の凸部６７１とが嵌合することで、電気的に導通可能とされている。
【０１０８】
このような椅子装置７０２では、一方の面ファスナー構成部材７７１と他方の面ファスナー構成部材７７２との止着により、ジョイント部７７０は椅子１に設けられたベース部７６０に取り付くとともに、ジョイント部７７０をベース部７６０から取り外すことができる。よって、ジョイント部７７０を介してモニター２５０を椅子１に容易に固定することができるとともに、モニター３５０を椅子１から容易に取り外すことができる。
【０１０９】
（第八実施形態）
次に、本発明の第八実施形態に係る椅子装置８０２について説明する。
なお、本実施形態において前述した実施形態と共通する構成については、同一の符号を付してその説明を省略する。
【０１１０】
図１２に示すように、本実施形態に係る椅子装置８０２では、モニター５０は、取付手段８０５により椅子１に取り付けられている。
【０１１１】
取付手段８０５は、椅子１に設けられたベース部８６０と、該ベース部８６０に着脱可能に設けられ、モニター５０を回動可能に支持するジョイント部８７０とを有しており、モニター５０を椅子１の後面１Ｇに対して着脱可能に取り付けるとともに、モニター５０を取り付けた状態で、椅子１の後面１Ｇからモニター５０への給電を行うものである。
【０１１２】
図１３に示すように、ベース部８６０は、椅子１の後面１Ｇ（図１２参照）に対して取付ネジ８６１にて固定されていて、表面は筐体８６２で覆われている。この筐体８６２には、内部側に向かって凹んだ段部８６３が形成されている。
【０１１３】
この筐体８６２の段部８６３の内部には、左右方向に離間して第一Ｎ極吸着部８６４Ａ及び第一Ｓ極吸着部８６４Ｂが、外観上からは目視できない状態で設けられている。
【０１１４】
また、筐体８６２には、左右方向（回動軸方向）に向かって延在する凹所８６５が上下方向に離間して一対形成されている。この凹所８６５は、延在長さ中央部から左右両側（両側方）に向かうにしたがって次第に凹み寸法が減少するように形成されている。本実施形態では、中央部の凹み寸法が大きく左右両側の凹み寸法が小さい円弧状に形成されている。
【０１１５】
また、筐体８６２には、凸部８６８が設けられるとともに、一対の第一凹部８６９が上下方向に離間して設けられ、該第一凹部８６９は電源が供給されることで導通可能な端子として構成されている。
【０１１６】
図１４から図１６に示すように、ジョイント部８７０の内部には、左右方向に離間して第二Ｎ極吸着部８７４Ａ及び第二Ｓ極吸着部８７４Ｂが、外観上からは目視できない状態で設けられている。
【０１１７】
この第二Ｎ極吸着部８７４Ａはベース部８６０の第一Ｓ極吸着部８６４Ｂに対応した位置に設けられ、第二Ｓ極吸着部８７４Ｂはベース部８６０の第一Ｎ極吸着部８６４Ａに対応した位置に設けられている。
【０１１８】
また、ジョイント部８７０には、左右方向に向かって延在し、ベース部８６０の凹所８６５に嵌合可能な突出部８７５が上下方向に離間するとともに、ベース部８６０の凹所８６５に対応した位置に一対形成されている。この突出部８７５は、延在長さ中央部から左右両側に向かうにしたがって次第に突出寸法が減少するように形成されている。本実施形態では、中央部の突出寸法が大きくて左右両側の突出寸法が小さい円弧状に形成されている。
【０１１９】
また、ジョイント部８７０には、ベース部８６０の凸部８６８に対応した位置に第二凹部８７８が設けられている。さらに、ジョイント部８７０には、ベース部７６０の第一凹部８６９に対応した位置に上下方向に離間して、一対の第三凹部８７９が設けられ、この第三凹部８７９は電源が供給されることで導通可能な端子として構成されている。
【０１２０】
次に、ジョイント部８７０の内部構成について説明する。
図１７に示すように、ジョイント部８７０は、第一回動軸８８１と、該第一回動軸８８１に対して回動可能に取り付けられた可動部材８８２と、該可動部材８８２を付勢する第一付勢部８８３と、可動部材８８２に設けられた第二付勢部８８４とを有している。
【０１２１】
可動部材８８２は、第一回動軸８８１に対して回動可能に取り付けられ、第二凹部８７８内に配された第一可動片８８２Ａと、第二付勢部８８４が設けられた第二可動片８８２Ｂとを有している。
【０１２２】
第一付勢部８８３は、本実施形態では第一回動軸８８１に巻回されたコイル状バネであって、第一可動片８８２Ａを第二凹部８７８から突出させる向きに付勢している。
【０１２３】
第二付勢部８８４は、第二可動片８８２Ｂに設けられ、第三凹部８７９側に向かって折曲された板バネ部材であり、その折曲部分８８４Ａが第三凹部８７９の底部８７９Ａを外方に向かって付勢している。
【０１２４】
図１８に示すように、このように構成されたジョイント部８７０をベース部８６０に取り付けると、ベース部８６０の凸部８６８がジョイント部８７０の第二凹部８７８内と配設される。そして、凸部８６８が、第二凹部８７８内に配された第一可動片８８２Ａを押圧する。
【０１２５】
この押圧により、可動部材８８２は、第一回動軸８８１を中心として回動するとともに、第二可動片８８２Ｂに設けられた第二付勢部８８４の折曲部分８８４Ａが、ベース部８６０側に向かって回動する。
【０１２６】
これにより、折曲部分８８４Ａは、第三凹部８７９の底部８７９Ａをベース部８６０側に向かって押圧して、底部８７９Ａは第三凹部８７９から突出してベース部８６０の第一凹部８６９と当接する。
これにより、第一凹部８６９と第三凹部８７９とは導通可能とされる。
【０１２７】
一方、ジョイント部８７０をベース部８６０から取り外すと、ベース部８６０の凸部８６８が第二凹部８７８から外れて、第一可動片８８２Ａを押圧しなくなる。
【０１２８】
第一付勢部８８３が第一可動片８８２Ａを第二凹部８７８から突出させる向きに付勢しているため、該第一可動片８８２Ａを第二凹部８７８に配するように、可動部材８８２は第一回動軸８８１を中心として回動する。
【０１２９】
これにともない、第二付勢部８８４は第三凹部８７９の底部８７９Ａから離間する方向に回動して該底部８７９Ａを押圧しなくなり、底部８７９Ａはジョイント部８７０の内部側に向かって移動して、第一凹部８６９と第三凹部８７９とは離間して非導通状態となる。
【０１３０】
このように構成された椅子装置８０２では、ベース部８６０の第一Ｎ極吸着部８６４Ａとジョイント部８７０の第二Ｓ極吸着部８７４Ｂとが吸着するとともに、ベース部８６０の第一Ｓ極吸着部８６４Ｂとジョイント部８７０の第二Ｎ極吸着部８７４Ａとが吸着する。よって、ベース部８６０に対してジョイント部８７０が所定の位置に取り付けられるため、ジョイント部８７０に支持されたモニター５０は、ベース部８６０が設けられた椅子１に対して、所定の位置に取り付けられる。
したがって、利用者がモニター５０の表裏方向を逆にして、ベース部８６０に取り付けることを防止することができる。
【０１３１】
また、ベース部８６０とジョイント部８７０とは磁力により吸着しているとともに、凹所８６５と突出部８７５とは嵌合しているため、該ベース部８６０とジョイント部８７０とが対向する方向に力を加えても、取り外すことは困難である。よって、利用者が、モニター５０に対してこの対向する方向に力を加えて回動させても、該モニター５０が椅子から落下することはない。
【０１３２】
一方、凹所８６５及び突出部８７５がそれぞれの延在方向の両側方に向かうにしたがってそれぞれ凹み寸法及び突出寸法が減少するように円弧状に形成されているため、左右方向に沿っては容易に取り外すことができる。
【０１３３】
また、ベース部８６０からもモニター５０を取り外した状態で、端子が設けられている部分は第三凹部８７９として凹んでいるため、外観上の体裁を良好とすることができる。
【０１３４】
（変形例）
また、図１９に示すように、本実施形態の変形例の椅子装置１０２として、前方から後方に向かうにしたがって昇り階段状に形成された床ＦＧ１〜Ｇ３に椅子１を設けてもよい。
この場合において、床Ｇ２に設けられた椅子１に着座する利用者Ｘが利用するモニター５０は、床Ｇ１に設けられた椅子１の背板部４０に設けられている。ここで、床Ｇ２から床Ｇ１に配設された椅子１の背板部４０に設けられたモニター５０までの高さは、第一実施形態と比較して低くなっている。この場合であっても、モニター５０の下部５０Ｐを上方に向かうように該モニター５０を回動させれば、モニター５０の表示本体５１を椅子１に着座する利用者Ｘにとって最適な角度に設定することができ、使い勝手を良好とすることができる。
【０１３５】
また、上述した実施の形態において示した動作手順、あるいは各構成部材の諸形状や組み合わせ等は一例であって、本発明の主旨から逸脱しない範囲において設計要求等に基づき種々変更可能である。
【０１３６】
例えば、第一本実施形態において、回動軸７３はジョイント部７０に設けられモニター取付部５３に該回動軸７３の挿入を可能とする穴部５４が形成されているが、構成を逆としてもよい。すなわち、一対のモニター取付部５３から左右方向内方に向かって突出する一対の回動軸が設けられ、ジョイント部７０の第一側壁部７０Ｅ及び第二側壁部７０Ｆに穴部が形成されていてもよい。この場合でも、モニター５０はジョイント部７０に対して回動可能とされる。
【０１３７】
また、上記の実施形態において、ベース部６０には凹部６１が設けられるとともにジョイント部７０には凸部７１が設けられているが、構成を逆として、ベース部６０には凸部７１が設けられるとともにジョイント部７０には凹部６１が設けられていてもよい。この場合でも、凸部７１と凹部６１との嵌合により、ジョイント部７０を介してモニター５０を幕板部材３及び椅子１に固定するとともに、該幕板部材３及び椅子１から取り外すことができる。
【０１３８】
また、第六実施形態において、第一磁気吸着部及び第二磁気吸着部ともに磁石で構成されているが、一方を鉄、ニッケル、コバルト等の磁性体で構成されるものであってもよい。この場合であっても、磁石と磁性体との吸着及び分離により、モニター５０を幕板部材３及び椅子１に固定することができるとともに、容易に取り外すことができる。
【符号の説明】
【０１３９】
１…椅子
２，１０２，２０２，３０２，４０２，５０２，６０２，７０２，８０２…椅子装置
１Ｇ・・・椅子の後面
５…取付手段
５０，２５０,３５０…モニター
５１…表示本体
５２…保護部
６０，２６０，３６０，４６０，５６０，６６０，７６０，８６０…ベース部
７０，２７０，３７０，４７０，５７０，６７０，７７０，８７０…ジョイント部
Ｘ…利用者
Ｗ…通行空間
【図１】
2014064617.tif 000003
【図２】
2014064617.tif 000004
【図３】
2014064617.tif 000005
【図４】
2014064617.tif 000006
【図５】
2014064617.tif 000007
【図６】
2014064617.tif 000008
【図７】
2014064617.tif 000009
【図８】
2014064617.tif 000010
【図９】
2014064617.tif 000011
【図１０】
2014064617.tif 000012
【図１１】
2014064617.tif 000013
【図１２】
2014064617.tif 000014
【図１３】
2014064617.tif 000015
【図１４】
2014064617.tif 000016
【図１５】
2014064617.tif 000017
【図１６】
2014064617.tif 000018
【図１７】
2014064617.tif 000019
【図１８】
2014064617.tif 000020
【図１９】
2014064617.tif 000021